(57)【要約】【課題】顕微鏡装置筐体をコンパクト化するとともに、工具のふらつきを防止して保持する収容機構を備えた顕微鏡を提供する。【解決手段】棒状をなす工具２１を収容する工具収容機構２１を備える顕微鏡装置１００であって、工具収容機構２０は、顕微鏡装置１００の高さ方向に略沿った方向へ工具２１を位置決めして保持する第一保持部２０ａと、前記高さ方向と直交する方向に略沿った方向へ工具２１を位置決めして保持する第二保持部２０ｂと、を備え、顕微鏡筐体１側面に配置されることを特徴とする。【選択図】図２
2011221102.tif 000002
【特許請求の範囲】
【請求項１】
棒状をなす工具を収容する工具収容機構を備える顕微鏡装置であって、
前記工具収容機構は、
当該顕微鏡装置の高さ方向に略沿った方向へ前記工具を位置決めして保持する第一保持部と、
前記高さ方向と直交する方向に略沿った方向へ前記工具を位置決めして保持する第二保持部と、
を備え、顕微鏡筐体側面に配置されることを特徴とする顕微鏡装置。
【請求項２】
前記工具は、機能に応じた先端形状を有する先端部と、前記先端部の基端側に設けられ、前記先端部と同軸であって前記先端部よりも径が大きい工具把持部とを有し、
前記第一保持部は、前記先端部の直径より大きく、前記工具把持部の直径より小さい孔部を有し、前記孔部と前記工具把持部との係合により鉛直方向に位置決めすることを特徴とする請求項１に記載の顕微鏡装置。
【請求項３】
前記第２保持部は、前記先端部の直径より大きな孔部を有し、前記孔部内壁面による前記先端部の保持により水平方向に位置決めすることを特徴とする請求項２に記載の顕微鏡装置。
【請求項４】
前記第１保持部および前記第２保持部は、各保持部上面から孔部まで、前記工具の収容を誘導するテーパ部を備えることを特徴とする請求項１〜３のいずれか一つに記載の顕微鏡装置。
【請求項５】
前記工具は、機能に応じた先端形状を有する先端部と、前記先端部の基端側に設けられ、前記先端部と同軸であって前記先端部よりも径が大きい工具把持部とを有し、
前記第一保持部は、前記工具把持部の直径より大きく、前記工具把持部の前記先端部側と反対側端部に形成される鍔部直径より小さい、半円状の孔部を有し、前記孔部と前記鍔部との係合により顕微鏡装置の高さ方向に略沿った方向へ前記工具を位置決めすることを特徴とする請求項１に記載の顕微鏡装置。
【請求項６】
前記第２保持部は、前記先端部の直径より大きく、前記工具把持部の直径より小さい孔部を有し、前記孔部内壁面による前記先端部の保持、および／または前記孔部と前記工具把持部との係合により前記高さ方向と直交する方向に略沿った方向へ前記工具を位置決めすることを特徴とする請求項５に記載の顕微鏡装置。
【請求項７】
前記工具収容機構は、顕微鏡筐体表面に前記先端部をガイド収容するためのノッチ部を備えることを特徴とする請求項５または６に記載の顕微鏡装置。
【請求項８】
前記工具収容機構の前記第１保持部、前記第２保持部および前記ノッチ部は、鉛直線から傾いた直線状に配置され、第１保持部が顕微鏡正面から遠く、ノッチ部が近く配置されることを特徴とする請求項７に記載の顕微鏡装置。
【請求項９】
前記第１保持部の孔部、前記第２保持部の孔部および前記ノッチ部の溝部は、鉛直線から傾いた直線状に配置され、第１保持部の孔部が顕微鏡筐体から離れた位置に、第２保持部の孔部は、第１保持部の孔部とノッチ部の溝部とを結ぶ位置に配置されることを特徴とする請求項７または８に記載の顕微鏡装置。
【請求項１０】
前記第１保持部、前記第２保持部および前記ノッチ部は、金型により顕微鏡筐体と一体成形されることを特徴とする請求項５〜９のいずれか一つに記載の顕微鏡装置。
【発明の詳細な説明】
【技術分野】
【０００１】
本発明は、顕微鏡筐体に備え付ける工具の収容機構を備えた顕微鏡装置に関するものである。
【背景技術】
【０００２】
従来、顕微鏡には、顕微鏡の各種作業や機器の取り付け用に六角レンチなどの工具が備えられ、該工具を収容するための工具ホルダーが顕微鏡筐体に設けられていることが多い。顕微鏡筐体の工具収納機構として、装置筐体内部に工具全体をそのまま収容する筒状の収容部を設け、工具の基端部に設けられた鍔部分を収容部の端部に係合させた状態で工具を収容部に収容させるものと、顕微鏡筐体の側面に環状の工具保持部を突出して備え付け、該工具保持部の孔部に工具を挿入し、工具の鍔部分を工具保持部の上面で保持するものがあった。
【発明の概要】
【発明が解決しようとする課題】
【０００３】
しかしながら、従来使用されている顕微鏡筐体内部に設けられる工具ホルダーは、工具収容機構を設けるためのスペースが必要となるため、顕微鏡筐体が大きくなるという問題を有していた。
【０００４】
また、顕微鏡筐体側面に設けられる環状の工具保持部は、１の工具保持部により工具鍔部分を保持するものであるため、工具の先端金属部分は保持されず、工具自体がふらつくという問題を有していた。
【０００５】
本発明は、上記に鑑みてなされたものであって、顕微鏡筐体をコンパクト化するとともに、工具のふらつきを防止して保持する収容機構を備えた顕微鏡装置を提供することを目的とする。
【課題を解決するための手段】
【０００６】
上述した課題を解決し、目的を達成するために、本発明の顕微鏡装置は、棒状をなす工具を収容する工具収容機構を備える顕微鏡装置であって、前記工具収容機構は、当該顕微鏡装置の高さ方向に略沿った方向へ前記工具を位置決めして保持する第一保持部と、前記高さ方向と直交する方向に略沿った方向へ前記工具を位置決めして保持する第二保持部と、を備え、顕微鏡筐体側面に配置されることを特徴とする。
【０００７】
また、本発明の顕微鏡装置は、上記発明において、前記工具は、機能に応じた先端形状を有する先端部と、前記先端部の基端側に設けられ、前記先端部と同軸であって前記先端部よりも径が大きい工具把持部とを有し、前記第一保持部は、前記先端部の直径より大きく、前記工具把持部の直径より小さい孔部を有し、前記孔部と前記工具把持部との係合により鉛直方向に位置決めすることを特徴とする。
【０００８】
また、本発明の顕微鏡装置は、上記発明において、前記第２保持部は、前記先端部の直径より大きな孔部を有し、前記孔部内壁面による前記先端部の保持により水平方向に位置決めすることを特徴とする。
【０００９】
また、本発明の顕微鏡装置は、上記発明において、前記第１保持部および前記第２保持部は、各保持部上面から孔部まで、前記工具の収容を誘導するテーパ部を備えることを特徴とする。
【００１０】
また、本発明の顕微鏡装置は、上記発明において、前記工具は、機能に応じた先端形状を有する先端部と、前記先端部の基端側に設けられ、前記先端部と同軸であって前記先端部よりも径が大きい工具把持部とを有し、前記第一保持部は、前記工具把持部の直径より大きく、前記工具把持部の前記先端部側と反対側端部に形成される鍔部直径より小さい、半円状の孔部を有し、前記孔部と前記鍔部との係合により顕微鏡装置の高さ方向に略沿った方向へ前記工具を位置決めすることを特徴とする。
【００１１】
また、本発明の顕微鏡装置は、上記発明において、前記第２保持部は、前記先端部の直径より大きく、前記工具把持部の直径より小さい孔部を有し、前記孔部内壁面による前記先端部の保持、および／または前記孔部と前記工具把持部との係合により前記高さ方向と直交する方向に略沿った方向へ前記工具を位置決めすることを特徴とする。
【００１２】
また、本発明の顕微鏡装置は、上記発明において、前記工具収容機構は、顕微鏡筐体表面に前記先端部をガイド収容するためのノッチ部を備えることを特徴とする。
【００１３】
また、本発明の顕微鏡装置は、上記発明において、前記工具収容機構の前記第１保持部、前記第２保持部および前記ノッチ部は、鉛直線から傾いた直線状に配置され、第１保持部が顕微鏡正面から遠く、ノッチ部が近く配置されることを特徴とする。
【００１４】
また、本発明の顕微鏡装置は、上記発明において、前記第１保持部の孔部、前記第２保持部の孔部および前記ノッチ部の溝部は、鉛直線から傾いた直線状に配置され、第１保持部の孔部が顕微鏡筐体から離れた位置に、第２保持部の孔部は、第１保持部の孔部とノッチ部の溝部とを結ぶ位置に配置されることを特徴とする。
【００１５】
また、本発明の顕微鏡装置は、上記発明において、前記第１保持部、前記第２保持部および前記ノッチ部は、金型により顕微鏡筐体と一体成形されることを特徴とする。
【発明の効果】
【００１６】
本発明にかかる顕微鏡装置は、当該顕微鏡装置の高さ方向に略沿った方向へ前記工具を位置決めして保持する第一保持部と、前記高さ方向と直交する方向に略沿った方向へ前記工具を位置決めして保持する第二保持部と、を有する工具収納機構を顕微鏡筐体側面に配置することにより、顕微鏡装置をコンパクト化するとともに、工具のふらつきを防止して保持することが可能となる。
【図面の簡単な説明】
【００１７】
【図１】図１は、実施の形態１にかかる顕微鏡装置の概略構成を示す図である。
【図２】図２は、実施の形態１の顕微鏡装置を背面左側からみた斜視図である。
【図３】図３は、図２に示す工具収容機構の拡大図である（工具なし）。
【図４】図４は、図２に示す工具収容機構の拡大図である（工具有り）。
【図５】図５は、実施の形態２の顕微鏡装置を背面左側からみた斜視図である。
【図６】図６は、図５に示す工具収容機構の拡大図である（工具なし）。
【図７】図７は、図５に示す工具収容機構の拡大図である（工具有り）。
【図８】図８は、図６に示す工具収容機構のα−α面の断面図である。
【図９】図９は、図８のβ−β面の断面図である。
【図１０】図１０は、図８のγ−γ面の断面図である。
【発明を実施するための形態】
【００１８】
以下に、本発明にかかる顕微鏡装置の実施の形態を図面に基づいて詳細に説明する。なお、本発明は、これらの実施の形態に限定されるものではなく、本発明の要旨を逸脱しない範囲で種々の変更が可能である。
【００１９】
（実施の形態１）
図１は、本発明の実施の形態１にかかる顕微鏡１００の概略構成を示す図である。顕微鏡装置１００は、対象標本Ｓが載置されるステージ３と、側面視略コの字状を有し、ステージ３を支持するとともにレボルバ１４を介して対物レンズ１３を保持する顕微鏡筐体１と、顕微鏡筐体１の底部後方（図１の右方）に配設された光源５と、顕微鏡筐体１の上部に載置された鏡筒１５とを備える。また、鏡筒１５には、対象標本Ｓの標本像を目視観察するための接眼レンズ１７と、ＣＣＤカメラ等の撮像部を取り付けるためのＴＶ（テレビジョン）ポート１８が設けられている。
【００２０】
顕微鏡装置１００は、上面に対象標本Ｓが載置されたステージ３を、上下方向に移動させるための焦準ハンドル４を備えている。焦準ハンドル４を時計回り、または、反時計回りに回転することにより、ステージ３を矢印Ａで示す上下方向（Ｚ軸方向）に移動させて、対象標本Ｓの観察を行なう。
【００２１】
レボルバ１４は、顕微鏡筐体１に対して回転自在に保持され、対物レンズ１３を対象標本Ｓの上方に配置する。対物レンズ１３は、レボルバ１４に対して倍率（観察倍率）の異なる他の対物レンズとともに交換自在に装着されており、レボルバ１４の回転に応じて観察光の光路上に挿入されて対象標本Ｓの観察に用いる対物レンズ１３が択一的に切り換えられるようになっている。
【００２２】
顕微鏡筐体１は、底部において対象標本Ｓを透過照明するための照明光学系を内設している。この照明光学系は、光源５から射出された照明光を集光するコレクタレンズ６、照明系フィルタユニット７、視野絞り８、開口絞り９、照明光の光路を対物レンズ１３の光軸に沿って偏向させる折曲げミラー１０、光学素子切換ユニット１１、トップレンズユニット１２等が、照明光の光路に沿って適所に配置されて構成される。光源５から射出された照明光は、照明光学系によって対象標本Ｓに照射され、観察光として対物レンズ１３に入射する。
【００２３】
鏡筒１５は、観察光の光路を切り換えて接眼レンズ１７またはＴＶポート１８へと導くビームスプリッタ１６を内設している。対象標本Ｓの標本像は、このビームスプリッタ１６によって接眼レンズ１７内に導入され、接眼レンズ１７を介して検鏡者に目視観察される。あるいはＴＶポート１８に取り付けられた撮影装置よって撮像される。
【００２４】
また、顕微鏡装置１００は、顕微鏡筐体１の側面に工具収容機構２０を備える。図２は、実施の形態１の顕微鏡装置１００を背面左側からみた斜視図である。図３は、図２に示す工具収容機構２０の拡大図である（工具２１なし）。図４は、図２に示す工具収容機構２０の拡大図である（工具２１あり）。図２に示すように、顕微鏡筐体１の側面には、工具２１を収容する工具収容機構２０が取り付けられる。
【００２５】
工具収容機構２０は、工具を鉛直方向に位置決めして保持する第一保持部２０ａと、工具２１を水平方向に位置決めして保持する第二保持部２０ｂと、を備える。第一保持部２０ａは、工具２１の先端部２１ｂの直径より大きく、工具把持部２１ａの直径より小さい孔部２０ｄを有し、孔部２０ｄと工具把持部２１ａとの係合により、工具２１を鉛直方向に位置決め保持する。第２保持部２０ｂは、工具２１の先端部２１ｂの直径より大きな孔部２０ｄを有し、孔部２０ｄ内壁面による先端部２１ｂの保持により、工具２１を水平方向に位置決め保持する。
【００２６】
また、第一保持部２０ａおよび第二保持部２０ｂは、保持部上面から孔部２０ｄまで、工具２１の収納を誘導するテーパ部２０ｃを備える。このテーパ部２０ｃを設けることにより、孔部２０ｄの真上からずれた位置で工具２１を挿入した場合や、孔部２０ｄの鉛直軸から傾いて工具２１を挿入した場合にも、工具２１の先端部２１ｂを孔部２０ｄに誘導して、容易に収容することができる。
【００２７】
実施の形態１では、第二保持部２０ｂの孔部２０ｄを第一保持部２０ａの孔部２０ｄと同様に、保持部下面までの貫通孔とし、先端部２１ｂの先端を孔部２０ｄに貫通させ、孔部２０ｄ内壁面により先端部２１ｂを保持することにより、工具２１の鉛直方向および水平方向の移動を規制しているが、第二保持部２０ｂ内部を、孔部２０ｄを有しないすり鉢形状とし、該すり鉢形状の底面で工具２１の先端部２１ｂの先端を保持してもよい。かかる場合は、第一保持部２０ａおよび第二保持部２０ｂの取り付け位置と、工具２１の先端部２１ｂの長さとを対応させて、第一保持部２０ａおよび第二保持部２０ｂにより工具２１を保持することはいうまでもない。
【００２８】
（実施の形態２）
実施の形態２にかかる顕微鏡装置２００は、第一保持部１２０ａと、第二保持部１２０ｂと、ノッチ部１２０ｃと、からなる工具収容機構１２０を備える。
【００２９】
図５は、実施の形態２の顕微鏡装置２００を背面左側からみた斜視図である。図６は、図５に示す工具収容機構の拡大図である（工具なし）。図７は、図５に示す工具収容機構の拡大図である（工具あり）。図５に示すように、工具収容機構１２０は、顕微鏡筐体１Ｂの側面に取り付けられる。第一保持部１２０ａは、工具把持部２１ａの直径より大きく、工具把持部２１ａの先端部２１ｂ側と反対側端部に形成される鍔部２１ｃの直径より小さい、半円状の孔部１２０ｊを有し、孔部１２０ｊと鍔部２１ｃとの係合により工具２１を顕微鏡装置２００の高さ方向に略沿った方向へ位置決めして保持する。
【００３０】
第２保持部１２０ｂは、工具２１の先端部２１ｂの直径より大きく、工具把持部２１ａの直径より小さい孔部１２０ｋを有し、孔部１２０ｋと工具把持部２１ａの先端部２１ｂの側端部との係合、および／または孔部１２０ｋの内壁面による先端部２１ｂの保持により、工具２１を顕微鏡装置２００の高さ方向と直交する方向に略沿った方向へ位置決めして保持する。
【００３１】
ノッチ部１２０ｃは、顕微鏡筐体１Ｂ表面に形成された三角錘状の溝であり、工具２１の先端部２１ｂの工具収容機構１２０への挿入をガイドし、先端部２１ｂの先端側を収容する。
【００３２】
第１保持部１２０ａ、第２保持部１２０ｂおよびノッチ部１２０ｃは、鉛直線から傾いた直線状に配置され、第１保持部１２０ａを顕微鏡正面から遠く、ノッチ部１２０ｃを近く配置するのが好ましい。第１保持部１２０ａを顕微鏡正面から遠く、ノッチ部１２０ｃを近く配置することにより、工具２１の工具収容機構１２０への挿入が容易に行うことが可能になる。
【００３３】
また、第１保持部１２０ａの孔部１２０ｊ、前記第２保持部１２０ｂの孔部１２０ｈおよびノッチ部１２０ｃの溝部は、鉛直線から傾いた直線状に配置され、第１保持部１２０ａの孔部１２０ｊが顕微鏡装置筐体１Ｂから離れた位置に、第２保持部１２０ｂの孔部１２０ｋは、第１保持部１２０ａの孔部１２０ｊとノッチ部１２０ｃの溝部とを結ぶ位置に配置される。このように各部を配置することにより、工具２１の先端部２１ｂの先端がむき出しになることなくノッチ部１２０ｃに保持収納されるため、デザイン性が向上する。さらに、工具２１の挿脱入が容易となる。
【００３４】
次に、図８〜図１０を参照して、工具収容機構１２０の各部の形状、および工具収容機構１２０による工具の保持について、詳細に説明する。
【００３５】
図８は、図６に示す工具収容機構１２０のα−α面の断面図である。図９は、図８の第一保持部１２０ａのβ−β面の断面図である。図１０は、図８の第二保持部１２０ｂのγ−γ面の断面図である。第一保持部１２０ａの半円状の孔部１２０ｊは、顕微鏡筐体１Ｂと反対側に開放端を有し、テーパ状の面１２０ｄと、円柱側面状の面１２０ｅとからなる。面１２０ｄが工具２１の鍔部分２０ｃと係合することにより、工具２１を顕微鏡装置２００の高さ方向に略沿った方向へ位置決めして保持する。孔部１２０ｊを、開放端を有する半円状とすることにより、工具２１を挿脱入する際自由度が増すため、工具２１の挿脱入が容易となる。また、第一保持部１２０ａの顕微鏡筐体１Ｂの内部側は、図８および図９に示すように、空洞となっている。
【００３６】
第二保持部１２０ｂは、第一半円部１２０ｆと、第二半円部１２０ｇと、第三半円部１２０ｈとからなる。第一半円部１２０ｆは、図１０に点線（一部実線）で示すような半円形状をなし、顕微鏡筐体１Ｂと反対側に開放端を有する。第二半円部１２０ｇは、図１０の斜線部で示すような半円形状であり、顕微鏡筐体１Ｂ側に開放端を有する。第三半円部１２０は、第一半円部１２０ｆと同一形状である。第一半円部１２０ｆの円柱側面状の面１２０ｌと、第二半円部１２０ｇの円柱側面状の面１２０ｍと、第三半円部１２０ｈの円柱側面状の面１２０ｎとにより、孔部１２０ｋを構成する。第二保持部１２０ｂは、第二半円部１２０ｇの円柱側面状の面１２０ｍならびに第三半円部１２０ｈの円柱側面状の面１２０ｎによる先端部２１ｂの保持、および／または第一半円部１２０ｆの上面で工具把持部２１ａと係合することにより、工具２１を顕微鏡装置２００の高さ方向と直交する方向に略沿った方向へ位置決めして保持する。
【００３７】
また、実施の形態２にかかる顕微鏡筐体１Ｂは、通常２個の金型で形成されるが、第１保持部１２０ａ、第２保持部１２０ｂおよびノッチ部１２０ｃは、顕微鏡筐体１Ｂとともに顕微鏡筐体１Ｂの内壁面側と外壁面側から各金型を抜くことにより、一体成形することが可能となる。これにより、工具収納機構１２０を顕微鏡筐体１Ｂと同時に加工することが出来るので、製造コストを低減することが可能となる。
なお、実施の形態２において、孔部１２０ｊと鍔部２１ｃとの係合により工具２１を顕微鏡装置２００の高さ方向に略沿った方向へ位置決めして保持するとしたが、孔部１２０ｊのテーパ状の面１２０ｄと鍔部２１ｃとの係合により工具２１を顕微鏡装置２００の高さ方向と直交する方向に略沿った方向へ位置決めして保持することも可能であり、この場合、第二保持部１２０ｂにより工具２１を顕微鏡装置２００の高さ方向と直交する方向に略沿った方向へ位置決めして保持しなくても良い。
さらに、第一保持部１２０ａの孔部１２０ｊの形状は、半円状としたが、円状の孔部として形成してもよい。
【産業上の利用可能性】
【００３８】
以上のように、本発明にかかる顕微鏡装置は、工具を常備する顕微鏡装置に有用であり、装置のコンパクト化にも適している。
【符号の説明】
【００３９】
１、１Ｂ  顕微鏡筐体
３  ステージ
４  焦準ハンドル
５  光源
６  コレクタレンズ
７  照明系フィルタユニット
８  視野絞り
９  開口絞り
１０  折曲げミラー
１１  光学素子切換ユニット
１２  トップレンズユニット
１３  対物レンズ
１４  レボルバ
１５  鏡筒
１６  ビームスプリッタ
１７  接眼レンズ
１８  ＴＶポート
２０、１２０  工具収容機構
２０ａ、１２０ａ  第一保持部
２０ｂ、１２０ｂ  第二保持部
２０ｃ  テーパ部
２０ｄ、１２０ｊ、１２０ｋ  孔部
１２０ｃ  ノッチ部
２１  工具
２１ａ  工具把持部
２１ｂ  先端部
２１ｃ  鍔部
１００、２００  顕微鏡装置
【図１】
2011221102.tif 000003
【図２】
2011221102.tif 000004
【図３】
2011221102.tif 000005
【図４】
2011221102.tif 000006
【図５】
2011221102.tif 000007
【図６】
2011221102.tif 000008
【図７】
2011221102.tif 000009
【図８】
2011221102.tif 000010
【図９】
2011221102.tif 000011
【図１０】
2011221102.tif 000012